(57)【特許請求の範囲】
【請求項１】
開放先端部が開くようにバネ部材で付勢された操作片と、一端部がベース部材の上面に設けられたスライド部材の軸受け片に枢支され、一方、他端部が前記操作片の適宜部位に枢支された連結片と、前記操作片を閉じる方向へ押すと、操作片に連動して前記ベース部材の上面を摺動する前記スライド部材と、このスライド部材が摺動すると、鉤部が錠ケース１から出るように前記ベース部材と該ベース部材と対向する固定板との間に設けられた鉤状係合片とを備え、前記係合片は、前記スライド部材のラック片と噛合し、かつ、中心軸に軸支されたピニオン部材の係合突起及び前記中心軸が入り込む被係合部を有し、また、少なくともベース部材の第１案内部に遊嵌合する可動コマの端部が嵌挿する軸孔を前記被係合部と鉤部との間に有し、前記操作片を開いた時には、前記スライド部材と噛合するピニオン部材の回転に伴い前記係合突起により、かつ、前記可動コマに案内されながら鉤部が錠ケース内に入り込むように操作片に連動回転することを特徴とするカバン類の施錠装置。
【請求項２】
請求項１に於いて、スライド部材２０は、摺動する先端部に垂直取付け部２６を有し、一方、摺動する後端部の内側に歯部２７を有するラック片２８と、このラック片２８の前記垂直取付け部２６に一体的に取付けられた軸受け片３０とから構成されていることを特徴とするカバン類の施錠装置。
【発明の詳細な説明】
【０００１】
【産業上の利用分野】
本発明はビジネスケース、旅行用ケース等主として錠前の付いているカバン類の施錠装置に関する。
【０００２】
【従来の技術】
従来、一般に旅行用ケースは、ケース本体側にバネ部材で常に係合方向に付勢され、かつ、スライド可能な被係合片を有する施錠装置が設けられ、一方、蓋体側に前記被係合片と係脱する突起状の係合片が固定的に設けられている。
【０００３】
しかして、上記係合片は、蓋体の開口側の周部に左右合計２個適宜に設けられているのが普通であるが、係合片は先端部が鉤状の形態をしていると同時に、施錠装置が解錠している時、すなわち、蓋体が開いている時でも常に蓋体の外側に突出している。したがって、旅行用ケース内の衣類等がしばしば係合片に引っ掛かるという欠点があった。
【０００４】
【発明が解決しようとする課題】
本発明のカバン類の施錠装置は、以上のような従来の欠点に鑑み、まず第１の目的は、施錠装置が解錠状態の時、即ち、蓋体が開いている時は、係合片が錠ケースから突出せず、従って、蓋体を開いても衣類などが係合片に引っ掛かることがないことである。次に第２の目的は、操作片の開閉に連動して係合片が安定的に所定方向にスムースに回転移動することである。更に、第３の目的は、構成する部品点数を少なくし、能率的に組み立てることができることである。加えて、施錠状態の時、係合片を錠ケース側に確実に引き寄せることができることである。
【０００５】
【課題を解決するための手段】
本発明のカバン類の施錠装置は、開放先端部が開くようにバネ部材２１で付勢された操作片９と、一端部がベース部材２の上面に設けられたスライド部材２０の軸受け片３０に枢支され、一方、他端部が前記操作片９の適宜部位に枢支された連結片３２と、前記操作片を閉じる方向へ押すと、操作片に連動して前記ベース部材の上面を摺動する前記スライド部材２０と、このスライド部材が摺動すると、鉤部４０が錠ケース１から出るように前記ベース部材２と該ベース部材２と対向する固定板３５との間に設けられた鉤状係合片１５とを備え、前記係合片１５は、前記スライド部材のラック片２８と噛合し、かつ、中心軸１４に軸支されたピニオン部材１３の係合突起４５及び前記中心軸１４が入り込む被係合部１６を有し、また、少なくともベース部材の第１案内部５に遊嵌合する可動コマ４の端部が嵌挿する軸孔４１を前記被係合部１６と鉤部４０との間に有し、前記操作片９を開いた時には、前記スライド部材と噛合するピニオン部材１３の回転に伴い前記係合突起４５により、かつ、前記可動コマ４に案内されながら鉤部４０が錠ケース１内に入り込むように操作片に連動回転することを特徴とする。
【０００６】
【作用】
解錠状態の場合、操作片は開き、係合片は錠ケース内に完全に入り込んでいる。
【０００７】
そこで、操作片を中途まで押すと、操作片はバネ部材のバネ力に抗し、第１軸支ピンを支点に閉じる方向に回転する。そうすると、スライド部材は連結片を介してベース部材の上面を摺動し、ピニオン部材はラック片により回される。ピニオン部材が中心軸を中心に回転すると、係合片の鉤部が錠ケースの窓孔から突出する。
【０００８】
施錠状態の場合、操作片は完全に閉じ、係合片は錠ケースのロック片と確実に係合する。施錠装置が完全に施錠状態になると、係合片は回転したピニオン部材の係合突起及び第１及び第２案内部によって案内された可動コマの動きにより、錠ケース側に引き寄せられた状態で旅行用ケースの蓋体の係合部と所望するように係合している。
【０００９】
【実施例】
以下、図面に示す実施例により本発明を詳細に説明する。
【００１０】
図１ないし図１０に示す実施例に於いて、１は長箱状の錠ケースで、この錠ケース１は図１０で示すようにビジネスケースあるいは旅行用ケース６０の把手６１があるケース本体６２側に固定的に取付けられる。
【００１１】
２は錠ケース１の底壁１ａの内面に固定的に設けられた長板状のベース部材である。このベース部材２及び後述の固定板３５は、例えば図７で示すように操作片９の下方に位置する。このベース部材２につき分解図を示す図３に基き、さらに詳しく説明すると、まず、板状のベース部３の中央部、あるいは中央部寄りの部位には、Ｖ字型、Ｌ字型、レの字型などのイメージを彷彿させる可動コマ４用の第１案内部５が形成されている。第１案内部５は、凹所状のガイド溝または切欠部のいずれでも良いが、本実施例では切欠部である。そして、この第１案内部５は、ベース部３の幅方向にやや曲線状に形成された長い案内部５ａと、この長い案内部５ａと角度方向に連通する短い案内部５ｂとに区別され、全体としてブーメラン形状をしている。
【００１２】
次に６はベース部３の一端部から連設する首部７を介して耳状に突出形成された取付け部である。本実施例では特に図示しないが、この取付け部６にビス孔を形成し、固着具を介して、ベース部材２が錠ケース１に固定される。
【００１３】
次に８は首部７に一体的に対設する操作片９用の軸受け部である。軸受け部８、８はベース部３に対して垂直方向に設けられ、それぞれ第１軸支ピン１０用の軸孔１１を有する。
【００１４】
次に１２はベース部３の適宜箇所に形成されたピニオン部材１３の中心軸１４用の軸孔である。この軸孔１２は第１案内部５と首部７との間に設けられ、ベース部３の略中央に位置している。前記中心軸１４は鉤状の係合片１５のＶ字型、あるいはハート型の被係合部１６と係合し、ベース部材２から出没回転する係合片１５を所定方向へ回転するように案内する機能を有している。
【００１５】
最終に１７、１８はベース部材３の長手方向の両側壁に対向するように突設された前後の側壁である。この前の側壁１７には係合片１５が出没することができるように切欠部１９が形成されている。また、後の側壁１８はその内側面がスライド部材２０のラック片と摺接し、スライド部材２０が一定方向に進退動するようにガイド板としての機能を有する。
【００１６】
次にベース部材２に組み合わせられる本発明の主要部についてさらに詳しく説明する。
【００１７】
まず、前述した操作片９は、基端部が第１軸支ピン１０に枢支された状態でベース部材２の軸受け部８、８に取付けられる。しかして、操作片９は第１軸支ピン１０に装着されたバネ部材２１により、錠ケース１に形成された長方形の上方の窓孔から自動的に飛び出るように常時付勢されている。したがって、操作片９の開放先端部には、錠ケース１に内装され、図示しないバネ部材で常時係合方向へ付勢されたロック片２３と係合する係合突起、係合凹所等の係合部、本実施例では係合凹所２４が設けられている。なお、設計如何によっては、操作片９の基端部を錠ケース１に直接枢着しても良い。
【００１８】
次にスライド部材２０は操作片９の開閉操作により連動してベース部材２のベース部３の上面を摺動する。このスライド部材２０は、本実施例では摺動する先端部に垂直取付け部２６を有し、一方、摺動する後端部の内側に歯部２７を有するラック片２８と、このラック片２８の前記垂直取付け部２６に第２軸支ピン２９を介して一体的に取付けられた軸受け片３０とから構成されている。
【００１９】
しかして、スライド部材２０は、一端部が前記軸受け片３０の軸孔３１に挿入された第２軸支ピン２９に枢支され、一方、他端部が操作片９の中央部寄りの部位に適宜に枢支された連結片３２を介し、操作片９と連結している。
【００２０】
次に３５はベース部材２の上方に固定的に取付けられた長板状の固定板である。この固定板３５とベース部材のベース部３との間に可動コマ４、ピニオン部材１３、係合片１５が設けられる。この固定板３５は、可動コマ４との関係では案内部材として、またピニオン部材１３の中心軸１４との関係では軸支板としての機能を有する。
【００２１】
しかして、３６はベース部材２の第１案内部５と対向する可動コマ４用の第２案内部である。この第２案内部３６も第１案内部５と同様に凹所状のガイド溝又は切欠部のいずれでも良いが、本実施例では切欠部である。そして、この第２案内部３６も、固定板３５の幅方向にやや曲線状に形成された長い案内部３６ａと、この長い案内部３６ａと角度方向に連通する短い案内部３６ｂとに区別されている。また、３７はベース部材２の軸孔１２と対向する中心軸１４用の軸孔である。
【００２２】
次に係合片１５について説明する。係合片１５はベース部材２と固定板３５との間に内装され、前述したように幅広の基部には平面上Ｖ字型の被係合部１６が形成されている。この被係合部１６は、一方側の被係合長孔１６ａと、この被係合長孔１６ａと連通する他方側の被係合長孔１６ｂとに区別することができる。
【００２３】
しかして、係合片１５の先端部には錠ケース１の側壁の窓孔２２から突出し、図１０で示すように旅行用ケース６０の蓋部６３の適宜箇所に突出しないように設けられたストライク形状あるいは適当な穴状の係合部６４と係脱する鉤部４０が、また、鉤部４０と基部との間の中央部には可動コマ４の上方突起軸４ａが貫通する軸孔４１がそれぞれ形成されている。
【００２４】
次にピニオン部材１３について説明する。ピニオン部材１３はベース部材２のベース部３と係合片１５との間に位置するように、ベース部材２の軸孔１２及び固定板３５の軸孔３７をそれぞれ介して縦方向に軸架される中心軸１４に設けられる。中心軸１４とピニオン部材１３との関係は、本実施例では別体であり、したがって、ピニオン部材１３のみ単独で回転可能であるが、両者１４、１３を一体に設け、中心軸１４がピニオン部材１３と共に回動するようにしても良い。
【００２５】
しかして、ピニオン部材１３には中心軸１４が貫通する中心孔４３が形成され、その周りの一部にはラック片２８の歯部２７と噛合するピニオンギヤ部４４が形成され、このピニオンギヤ部４４が設けられた反対側の連設する端部上面には、係合片１５の被係合部１６と係合する係合突起４５が設けられている。
【００２６】
最後に各主要部の組み合わせについて説明すると、まず可動コマ４は下方突起軸４ｂがベース部材２の第１案内部５に、一方、上方突起軸４ａは係合片５の軸孔４１を貫通して固定板３５の第２案内部３６に遊嵌合する。したがって、可動コマの鍔状周胴部４ｃはベース部３の上面に支持された格好となる。
【００２７】
次にピニオン部材１３は、そのピニオンギヤ部４４がラック片２８の歯部２７と噛合するように中心軸１４を介してベース部３の上面に設けられる。中心軸１４は係合片１５の被係合部１６を貫通し、かつ、ベース部材２の軸孔１２と固定板３５の軸孔３７に軸架がされる。そして、ピニオン部材１３の係合突起４５も前記被係合部１６と遊嵌合し、かつ、中心軸１４を中心として回動する。
【００２８】
最終に係合片１５は可動コマ４の周胴部４ｃ及びピニオン部材１３の両者に回動可能に載置され、可動コマ４の上方突起軸４ａがその軸孔４１を貫通し、一方、被係合部１６にピニオン部材１３の中心軸１４と係合突起４５がそれぞれ遊嵌合する。
【００２９】
上記構成に於いて、錠ケース１のロック片２３と操作片９の係合凹所２４との係合が解かれると、操作片９はバネ部材２１のバネ力により、第１軸支ピン１０を支点に自動的に所定の角度まで回転浮上する。しかして、操作片９が開いている場合は、図６で示すように係合片１５は錠ケース１内に完全に入り込んでいる。又可動コマ４はベース部材２並びに固定板３５の各案内部５、３６の長い案内部５ａ、３６ａの始端部に位置し、又ピニオン部材１３の係合突起４５は、係合片１５の被係合部１６の一方側の被係合長孔１６ａに位置し、更に、ピニオン部材の中心軸１４は、前記被係合部１６の中間部に位置している。
【００３０】
そこで、今仮に操作片９を中途まで押すと、操作片９はバネ部材２１のバネ力に抗し、第１軸支ピン１０を支点に閉じる方向に回転する。そうすると、スライド部材２０は連結片３２を介してベース部３の上面を前方へと摺動する。この時ピニオン部材１３はスライド部材２０のラック片２８により回転される。しかして、ピニオン部材１３が中心軸１４を中心に回転すると、中途状態を示す図８のように、係合片１５はピニオン部材の係合突起４５により図面上反時計方向に回され、その鉤部４０が錠ケース１の窓孔２２から突出する。この時可動コマ４はベース部材２並びに固定板３５の各案内部５、３６に案内され、始端部から中間部へと回転しながらスムースに摺動移行する。
【００３１】
そして、操作片９を完全に閉じると、その係合凹所２４にバネ部材で付勢されている錠ケース１のロック片２３が係合する。しかして、図９で示すように施錠装置が完全に施錠状態になると、ピニオン部材１３は図面上更に反時計方向に回転し、その中心軸１４が係合片１５の被係合部１６の他方側の被係合長孔１６ｂに移行し、又その係合突起４５は前記被係合部１６の中間部へと移行する。そして、可動コマ４はベース部材２並びに固定板３５の各案内部５、３６の短い案内部５ｂ、３６ｂへと移行する。その結果、係合片１５は回転した係合突起４５及び第１及び第２案内部５、３６によって案内された可動コマ４の動きにより、錠ケース１側に引き寄せられ、旅行用ケース６０の蓋体６３の係合部６４と所望するように係合する。
【００３２】
【発明の効果】
以上の説明から明らかなように、本発明は次に列挙するような効果がある。
（１）施錠状態の場合（蓋体を閉じかつ操作片が完全に閉じた時）、係合片は錠ケースのロック片に係合する。一方、解錠状態の場合（蓋体を開いた時）、係合片は錠ケース内に入り込む。従って、衣類などが係合片に引っ掛かることがない。
（２）ベース部材のベース部を摺動する可動コマが設けられているので、操作片と連動する係合片は、安定的に所定方向にスムースに回転移動する。
（３）構成する部品点数が少ないので、能率的に組み立てることができる。
（４）施錠状態の時、係合片を錠ケース側に確実に引き寄せることができる。
【図面の簡単な説明】
図１ないし図１０は本発明の一実施例を示す各概略説明図である。
【図１】全体を示す斜視図。
【図２】要部の斜視図。
【図３】要部の分解斜視図。
【図４】係合片、ピニオン部材、可動コマの関係を示す斜視図。
【図５】可動コマの斜視図。
【図６】解錠状態（操作片を開いた場合）に於ける係合片の位置関係を示す説明図。
【図７】図６の７ー７線概略断面図。
【図８】施錠するために操作片を押した中途状態に於ける係合片の位置関係を示す説明図。
【図９】操作片を閉じた場合に於ける係合片の位置関係を示す説明図。
【図１０】使用状態の一例を示す斜視図。
【符号の説明】
１…錠ケース、３…ベース部、４…可動コマ、５…第１案内部、９…操作片、１３…ピニオン部材、１４…中心軸、１５…係合片、１６…被係合部、１６ａ、１６ｂ…被係合長孔、２０…スライド部材、２０ｂ…施錠用ストッパー部、２１…バネ部材、２２…係合ロック片、２８…ラック片、３０…軸受け片、３２…連結片、３５…固定板、３６…第２案内部、４０…鉤部、４１…軸孔、４５…係合突起、６３…蓋体、６４…蓋体の係合部。
【図１】
0003554578.tif 000002
【図２】
0003554578.tif 000003
【図３】
0003554578.tif 000004
【図４】
0003554578.tif 000005
【図５】
0003554578.tif 000006
【図６】
0003554578.tif 000007
【図７】
0003554578.tif 000008
【図８】
0003554578.tif 000009
【図９】
0003554578.tif 000010
【図１０】
0003554578.tif 000011